(57)【要約】【課題】コネクタアダプタとコネクタプラグとのロックを解除するために、コネクタの両側に指を挿入するためのスペースを必要としない光コネクタのコネクタプラグを得ること。【解決手段】光ファイバおよび光ファイバが接続されるフェルールを収容するプラグハウジングを有し、前記フェルールが挿入されるフェルールアダプタおよびコネクタプラグを係止するための係合凹部を有するコネクタアダプタに対して着脱自在な光コネクタのコネクタプラグにおいて、前記コネクタアダプタの係合凹部に係合する係止爪を有し、前記プラグハウジングに設けられる片持ち梁状の撓みレバーと、前端部が該撓みレバーに固定され、後端部が少なくとも前記プラグハウジングの後端部まで延在する長尺アーム部を有し、前記長尺アーム部の後端部を変位させることにより前記撓みレバーを撓ませて前記係合凹部と係止爪との係合を解除するロック解除具と、を備える。【選択図】        図１
2006071888.tif 000002
【特許請求の範囲】
【請求項１】
光ファイバおよび光ファイバが接続されるフェルールを収容するプラグハウジングを有し、前記フェルールが挿入されるフェルールアダプタおよびコネクタプラグを係止するための係合凹部を有するコネクタアダプタに対して着脱自在な光コネクタのコネクタプラグにおいて、
前記コネクタアダプタの係合凹部に係合する係止爪を有し、前記プラグハウジングに設けられる片持ち梁状の撓みレバーと、
前端部が該撓みレバーに固定され、後端部が少なくとも前記プラグハウジングの後端部まで延在する長尺アーム部を有し、前記長尺アーム部の後端部を変位させることにより前記撓みレバーを撓ませて前記係合凹部と係止爪との係合を解除するロック解除具と、
を備えた光コネクタのコネクタプラグ。
【請求項２】
前記撓みレバーは前記プラグハウジングを基端として前方へ延在し、前記長尺アーム部の後端部は、前記撓みレバーの延在方向と略直角方向に変位し、該変位により前記撓みレバーに曲げモーメントを与えて撓ませることを特徴とする請求項１に記載のコネクタプラグ。
【請求項３】
前記ロック解除具の前端部は、前記撓みレバーに形成された溝に締り嵌めによって固定されていることを特徴とする請求項１または２に記載のコネクタプラグ。
【請求項４】
前記ロック解除具は、前記長尺アーム部の後部に可撓部を介して揺動可能に接続された係止片を有し、該係止片に設けられた爪により前記プラグハウジングに係止されていることを特徴とする請求項１〜３のいずれか一つに記載のコネクタプラグ。
【請求項５】
前記プラグハウジングは、前記ロック解除具の後部を収容し係止するソケットを有することを特徴とする請求項１〜４のいずれか一つに記載のコネクタプラグ。
【請求項６】
フェルールが挿入されるフェルールアダプタおよびコネクタプラグを係止するための係合凹部を有するコネクタアダプタと、
光ファイバおよび光ファイバが接続されるフェルールを収容するとともに、その前端側が前記コネクタアダプタに対し着脱自在であるプラグハウジングと、前記コネクタアダプタの係合凹部に係合する係止爪を有し、前記プラグハウジングに設けられる片持ち梁状の撓みレバーと、前端部が該撓みレバーに固定され、後端部が少なくとも前記プラグハウジングの後端部まで延在する長尺アーム部を有し、前記長尺アーム部の後端部を変位させることにより前記撓みレバーを撓ませて前記係合凹部と係止爪との係合を解除するロック解除具とを有するコネクタプラグと、
を備えることを特徴とする光コネクタ。
【発明の詳細な説明】
【技術分野】
【０００１】
本発明は、光ファイバの端末同士、または、光ファイバの端末と光通信機器等とを接続する光コネクタおよびそのコネクタプラグに関するもので、特に抜け外れ防止装置を備えたものに関する。
【背景技術】
【０００２】
従来のケーブルコネクタにおける抜け外れ防止装置は、ケーブルコネクタのプラグ受け（アダプタ）の両外側面に係合溝を設け、プラグの両外側面に、前記係合溝と係合するフックを有するラッチを可撓部を介して取り付け、前記プラグをプラグ受けに結合した時、ラッチが弾性的に回動して前記フックが係合溝に係合し、またラッチの後端を、互いに近接する方向に回動させると、フックが係合溝より離脱しうるようにしていた（例えば、特許文献１参照）。
【０００３】
また、従来の光ファイバコネクタは、アダプタを介してプラグを接続する光コネクタにおいて、アダプタとプラグの締結をフェルール端面の押付けを兼ねたロックばねで行っていた。ロックばねは、プラグの両側に位置する一対の腕部と、円弧部と、プラグの両側に位置する一対の係止片とを有し、操作者が一対の腕部をつまむことにより、一対の係止片を動かしてアダプタとのロック及びロック解除を行なっていた（例えば、特許文献２参照）。
【０００４】
【特許文献１】特開平０２−０３００７５号公報（特許請求の範囲、第１〜３図）
【特許文献２】特開昭６１−２０４６０８号公報（特許請求の範囲、第２頁、第１図（ａ）〜第２図（ｂ））
【発明の開示】
【発明が解決しようとする課題】
【０００５】
しかしながら、上記従来のコネクタでは、いずれのものも、フック（又は係止片）を操作してプラグ受け（又はアダプタ）とロック及びロック解除するためのラッチの後端（又は腕部）がプラグの両側に位置しているため、これらを操作するためにコネクタの両側に指を挿入しなければならない。そのため、コネクタの両側に指を挿入するためのスペースを確保しなければならず、機器の小型化ができないという問題があった。指を挿入するためのスペースを小さくすると、ロック及びロック解除のための操作が困難になる。
【０００６】
本発明は、上記に鑑みてなされたものであって、コネクタアダプタとコネクタプラグとのロック（係止）を解除するために、コネクタの両側に指を挿入するためのスペースを必要としない光コネクタのコネクタプラグおよび光コネクタを得ることを目的とする。
【課題を解決するための手段】
【０００７】
上述した課題を解決し、目的を達成するために、本発明の光コネクタのコネクタプラグは、光ファイバおよび光ファイバが接続されるフェルールを収容するプラグハウジングを有し、前記フェルールが挿入されるフェルールアダプタおよびコネクタプラグを係止するための係合凹部を有するコネクタアダプタに対して着脱自在な光コネクタのコネクタプラグにおいて、前記コネクタアダプタの係合凹部に係合する係止爪を有し、前記プラグハウジングに設けられる片持ち梁状の撓みレバーと、前端部が該撓みレバーに固定され、後端部が少なくとも前記プラグハウジングの後端部まで延在する長尺アームを有し、前記長尺アームの後端部を変位させることにより前記撓みレバーを撓ませて前記係合凹部と係止爪との係合を解除するロック解除具と、を備える。
【０００８】
係合凹部と係止爪とが係合し、コネクタアダプタとコネクタプラグとがロックされた状態でロック解除具の後端部を変位させると、撓みレバーが撓んで係止爪が係合凹部から外れロック解除される。この状態でロック解除具の後端を後方へ引くことにより、コネクタプラグをコネクタアダプタから外すことができる。
【発明の効果】
【０００９】
この発明によれば、コネクタアダプタとコネクタプラグとのロックを解除するために、コネクタプラグの両側に指を挿入するためのスペースを必要としない光コネクタのコネクタプラグが得られるという効果を奏する。
【発明を実施するための最良の形態】
【００１０】
以下に、本発明にかかる光コネクタのコネクタプラグおよび光コネクタの実施の形態を図面に基づいて詳細に説明する。なお、この実施の形態によりこの発明が限定されるものではない。
【００１１】
実施の形態１．
図１は、本発明にかかる光コネクタの実施の形態１の前方分解斜視図であり、図２は、同後方分解斜視図であり、図３−１は、同平面図であり、図３−２は、図３−１のＡ−Ａ線に沿って一部破断した一部破断側面図であり、図４−１は、ロック解除具の側面図であり、図４−２は、同平面図であり、図４−３は、プラグ本体部とソケットとを接続した状態の側面図であり、図４−４は、ソケット蓋の正面図である。
【００１２】
実施の形態１の光コネクタ１００は、一対のコネクタプラグ２（一方のみ図示）およびコネクタアダプタ１から成り、各コネクタプラグ２をそれぞれコネクタアダプタ１の両側から挿入することにより光接続がなされる。
【００１３】
コネクタアダプタ１は、樹脂により扁平な角筒状に成形されたアダプタハウジング１０を有している。アダプタハウジング１０の内部の前後方向中央部には、隔壁１０ｂが形成されており、この隔壁１０ｂによって一対のコネクタプラグ２の各挿入部２０ｃを収容するための一対の収容空間を形成している。また、隔壁１０ｂによって２本の円筒状のフェルールアダプタ１１を左右に離間させて並列に保持している。このフェルールアダプタ１１内に、一対のコネクタプラグ２のフェルール２１が挿入されることにより、一対のコネクタプラグ２間の光接続がなされる。
【００１４】
上側のハウジング外壁１０ａには、コネクタプラグ２の係止爪２０ｂと係合してコネクタプラグ２を係止する係合凹部としての矩形の係合孔１０ｃが形成され、その左右には、カマボコ状突起２０ｊ（図３−１参照）と係合する矩形の係合孔１０ｄが設けられている。これら係合孔１０ｃ，１０ｄは、一対のコネクタプラグ２に対応して、ハウジング外壁１０ａの前後部にそれぞれ設けられている。係合凹部は、孔とするのではなく、ハウジング外壁１０ａの内側に形成した係合溝としてもよい。
【００１５】
コネクタプラグ２は、内部に２本のフェルール２１を収容し保持するプラグ本体部２０ｄと、プラグ本体部２０ｄに設けられた撓みレバー２０ａの前端に固定され後方に延在するロック解除具３０と、プラグ本体部２０ｄの後端に取付けられ光ファイバ５０およびロック解除具３０の後部を収容し係止するソケット４０等から構成されている。
【００１６】
プラグ本体部２０ｄは、樹脂により扁平な箱状に形成されている。プラグ本体部２０ｄの前方には、フェルール２１が前端を前方に突出させるように挿通され、左右に離間した角筒状の２本の挿入部２０ｃが形成されている。フェルール２１は、後側に光ファイバ５０が接続され、保持部材２２により挿入部２０ｃ内に保持されている。コネクタプラグ２のプラグハウジング２０は、プラグ本体部２０ｄ、挿入部２０ｃ及びソケット４０から成っている。
【００１７】
挿入部２０ｃをコネクタアダプタ１のアダプタハウジング１０内に挿入して嵌合させることにより、フェルール２１の前端がフェルールアダプタ１１内に挿入されて両者が光接続される。コネクタプラグ２をコネクタアダプタ１に挿し込むときは、プラグ本体部２０ｄの左右に形成された凹部２０ｉを把持して行うことができる。図示しないが、プラグ本体部２０ｄの前部および後部外壁の左右方向中央部には、ロック解除具３０を挿通させる挿通孔が設けられている。
【００１８】
プラグ本体部２０ｄの前方の左右方向中央部には、２本のスリット２０ｅ（図３−１参照）が形成され、この２本のスリット２０ｅによりプラグ本体部２０ｄから分離されて片持ち梁状の撓みレバー２０ａが形成されている。撓みレバー２０ａは、プラグ本体部２０ｄの上部外壁の略中央部を基端として前方へ延在し、前方部分が挿入部２０ｃと同じ高さとなるように階段状に形成され、その前端上側には、コネクタアダプタ１の係合孔１０ｃに係合する係止爪２０ｂが設けられている。係止爪２０ｂの上面には、Ｔ字状溝２０ｆ（図３−１参照）が形成され、このＴ字状溝２０ｆにロック解除具３０の前端Ｔ字部３０ｂが締り嵌めされることにより固定される。Ｔ字状溝２０ｆにロック解除具３０を締り嵌めによって固定するので、ねじ締結等に比べ組立性がよい。
【００１９】
係止爪２０ｂの前端上面は傾斜面２０ｇとなっていて、挿入部２０ｃをコネクタアダプタ１に挿入するとき、この傾斜面２０ｇがコネクタアダプタ１のハウジング外壁１０ａの内側エッジ１０ｅに当たり、撓みレバー２０ａが下方に撓んで挿入できるようになっている。撓みレバー２０ａの後方上面には押圧突起２０ｈが設けられ、コネクタプラグ２の上方に指を挿入するスペースがある場合は、この押圧突起２０ｈを押圧することにより、撓みレバー２０ａを下方に撓ませて係合孔１０ｃと係止爪２０ｂの係合を解除することができる。
【００２０】
また、係止爪２０ｂの左右の挿入部２０ｃの上面には、コネクタアダプタ１に設けられた第２係合孔１０ｄに係合するカマボコ状突起２０ｊ（図３−１参照）が設けられている。カマボコ状突起２０ｊは、挿入部２０ｃがコネクタアダプタ１に挿入されると第２係合孔１０ｄと係合し、コネクタアダプタ１とコネクタプラグ２の接続を強固なものにする。コネクタアダプタ１からコネクタプラグ２を抜くときに、カマボコ状突起２０ｊが第２係合孔１０ｄに引っ掛かることはない。
【００２１】
ロック解除具３０は、樹脂により全体として扁平な角棒状に形成され、その前端部３０ｃが側面視で上方に鉤状に折れ曲がり、その上端には、前述のＴ字状溝２０ｆに締り嵌めで嵌合する前端Ｔ字部３０ｂが形成されている。前端部３０ｃに接続する長尺アーム部３０ｄは、真直ぐな扁平角棒状に形成され、後端部３０ａは、長尺アーム部３０ｄと直角に左右に延びた先細の腕部３０ｅと、腕部３０ｅの両端に直角に設けられた２本の係止片３０ｆとを有している。係止片３０ｆの前端内側には、後端部３０ａを後述のソケット４０に係止するための爪３０ｇが設けられ、後部外側には指の滑り止め部３０ｈが設けられている。腕部３０ｅは先細部分が剛性が低くなって可撓部を形成し、可撓部の弾性力により爪３０ｇが内側に付勢され、ソケット４０に係止される。２本の係止片３０ｆを滑り止め部３０ｈで摘むと、可撓部が撓んで係止辺３０ｆが揺動し、２つの爪３０ｇ、３０ｇ間の間隔が開き、後端部３０ａのソケット４０への係止が解除される。
【００２２】
プラグ本体部２０ｄの後端には、平面視が略台形で内部が空洞の樹脂製のソケット４０が取付けられている。この取付は、プラグ本体部２０ｄの後端中央部の上下外壁に形成された爪穴２０ｎに、ソケット４０の前端中央部の上下外壁に設けられた爪４０ｉを係止させることにより行う。
【００２３】
ソケット４０の左右の傾斜側面４０ａの前側には、光ファイバ５０を挿通させこれを支持する孔４０ｂ（図４−３参照）が設けられている。傾斜側面４０ａの後側には、略平行四辺形で、その上下辺が後方ほど上方に傾斜するように形成され、ロック解除具３０の腕部３０ｅを通すための傾斜孔４０ｃが設けられている。傾斜孔４０ｃは、ソケット４０の後端開口部４０ｄに連通している。後端開口部４０ｄには、ソケット蓋４０ｅが取付けられる。ソケット蓋４０ｅには蓋爪４０ｆ（図３−１参照）が設けられていて、蓋爪４０ｆをソケット４０の爪孔４０ｇに係合させてソケット蓋４０ｅを取付ける。蓋爪４０ｆの解除は、爪突起４０ｈを押圧して行なう。
【００２４】
次に、プラグ本体部２０ｄに、ソケット４０及びロック解除具３０を組み付ける方法について説明する。まず、ソケット４０の孔４０ｂに光ファイバ５０の先端を通し、この先端をフェルール２１の後側に挿入し光ファイバ５０とフェルール２１とを接続する。次に、プラグ本体部２０ｄの後端にソケット４０を取付け、ソケット蓋４０ｅを取外して後端開口部４０ｄからロック解除具３０の前端部３０ｃを挿入する。ロック解除具３０全体を前方へ押し込み、その長尺アーム部３０ｄをプラグハウジング２０内に挿通させ、後端部３０ａの腕部３０ｅを傾斜孔４０ｃ内に挿入する。
【００２５】
後端部３０ａは、長尺アーム部３０ｄを介してプラグハウジング２０の後端部まで延在するかたちとなる。前端部３０ｃの前端Ｔ字部３０ｂを撓みレバー２０ａのＴ字状溝２０ｆに嵌合させて撓みレバー２０ａにロック解除具３０を固定する。また、後端部３０ａの爪３０ｇをソケット４０の爪溝４０ｉ（図４−３参照）に係止させ、後端部３０ａをソケット４０に固定する。その後、後端開口部４０ｄにソケット蓋４０ｅを取付ける。以上でプラグ本体部２０ｄへの組み付けが完了する。
【００２６】
ソケット４０すなわちプラグハウジング２０が、ロック解除具３０の後部をその内部に収容しているので、ロック解除操作時以外にロック解除具３０に不用意な力がかかるのを防止することができる。また、爪３０ｇをソケット４０の爪溝４０ｉに係止させているので、光コネクタ１００が振動するようなことがあっても、後端部３０ａがふらついて係止爪２０ｂのロックが解除されるようなことはない。
【００２７】
次に、コネクタプラグ２とコネクタアダプタ１との接続とそのロック、及びロック解除方法について説明する。コネクタプラグ２のプラグハウジング２０の左右に形成された凹部２０ｉを把持し、挿入部２０ｃをコネクタアダプタ１のアダプタハウジング１０内に挿入する。このとき、係止爪２０ｂの前端上面は傾斜面２０ｇとなっているので、この傾斜面２０ｇがアダプタハウジング１０のハウジング外壁１０ａの内側エッジ１０ｅに当たり、撓みレバー２０ａが下方に撓み、挿入部２０ｃと共に撓みレバー２０ａがアダプタハウジング１０内に挿入される。同時にフェルール２１の前端がフェルールアダプタ１１内に挿入されて両者が光接続される。
【００２８】
挿入部２０ｃが完全に根元まで挿入されると、係止爪２０ｂ及びカマボコ状突起２０ｊが、それぞれ係合孔１０ｃおよび第２係合孔１０ｄにスナップインして係合し、コネクタプラグ２をコネクタアダプタ１に係止する。
【００２９】
コネクタプラグ２のコネクタアダプタ１への係止を解除するには、まず、ロック解除具３０の後端部３０ａの２本の係止片３０ｆを滑り止め部３０ｈ部分で摘み、２つの爪３０ｇとソケット４０の爪溝４０ｉとの係合を解く。その状態で後端部３０ａを傾斜孔４０ｃ内で上方（撓みレバー２０ａの延在方向と略直角方向）へ変位させると、長尺アーム部３０ｄを介して撓みレバー２０ａに下方への曲げモーメントが働き、撓みレバー２０ａが下方（アダプタハウジング１０の内側方向）へ撓んで係止爪２０ｂが係合孔１０ｃから外れ係合が解除される。この状態でロック解除具３０の後端部３０ａを後方へ引くと、コネクタプラグ２はコネクタアダプタ１から外れる。このように、ロック解除具３０の後端部３０ａを変位させることにより、コネクタプラグ２のコネクタアダプタ１への係止を解除することができる。
【００３０】
実施の形態１の光コネクタ１００およびコネクタプラグ２によれば、コネクタアダプタ１とコネクタプラグ２との係止を解除するために、コネクタの両側に指を挿入するためのスペースを必要としない光コネクタおよびコネクタプラグが得られる。
【００３１】
実施の形態２．
図５は、本発明にかかる光コネクタの実施の形態２の前方分解斜視図であり、図６は、同後方分解斜視図であり、図７−１は、コネクタプラグの平面図であり、図７−２は、同側面図であり、図７−３は、同後面図であり、図８−１は、ロック解除具の側面図であり、図８−２は、同平面図である。これらの図において、実施の形態１の図１〜図３−２に示すものと同等のものには、同一の符号を付してその詳細な説明は省略する。
【００３２】
実施の形態２の光コネクタ２００は、一対のコネクタプラグ３（一方のみ図示）およびコネクタアダプタ１から成り、各コネクタプラグ３をそれぞれコネクタアダプタ１の両側から挿入することにより光接続がなされる。
【００３３】
コネクタプラグ３は、実施の形態１のコネクタプラグ２と同等のプラグ本体部２０ｄ、挿入部２１および撓みレバー２０ａと、撓みレバー２０ａの前端に固定されプラグ本体部２０ｄの後方まで延在するロック解除具６０等から構成されている。ロック解除具６０は、実施の形態１のロック解除具３０とは形状が異なる。コネクタプラグ３は、ソケット４０を備えていない。コネクタプラグ３におけるプラグハウジング２０は、プラグ本体部２０ｄと挿入部２０ｃとから成る。
【００３４】
ロック解除具６０は、樹脂により全体として扁平な角棒状に形成され、その前端部６０ｃが側面視で上方に鉤状に折れ曲がり、その上端には、撓みレバー２０ａのＴ字状溝２０ｆに締り嵌めで嵌合する前端Ｔ字部６０ｂが形成されている。前端部６０ｃに接続する長尺アーム部６０ｄは真直ぐな扁平角棒状に形成され、後端部は、球状のつまみ６０ａとなっている。つまみ６０ａの前方の長尺アーム部６０ｄの下側には、ロック解除具６０の後部をプラグハウジング２０（すなわちコネクタプラグ３）に係止するための「ヘ」字形の係止片６０ｆが、その中央部の可撓部６０ｅを介して揺動可能に接続されている。係止片６０ｆの前端上側には、爪６０ｇが設けられ、後部下側には指の滑り止め部６０ｈが設けられている。可撓部６０ｅの弾性力により爪６０ｇが上側に付勢され、プラグハウジング２０の下側後部に設けられた爪溝２０ｋに係合してロック解除具６０の後部をプラグハウジング２０に係止する。滑り止め部６０ｈとつまみ６０ａを摘むと可撓部６０ｅが撓んで係止片６０ｆが揺動して爪６０ｇと爪溝２０ｋの係合が解かれ係止が解除される。
【００３５】
プラグハウジング２０に、ロック解除具６０を組み付けるには、プラグハウジング２０の後端開口部２０ｍ（図６参照）からロック解除具６０の前端部６０ｃを挿入する。ロック解除具６０全体を前方へ押し込み、その長尺アーム部６０ｄをプラグハウジング２０内に挿通させる。後端部のつまみ６０ａは、プラグハウジング２０の後方に延在するかたちとなる。前端部６０ｃの前端Ｔ字部６０ｂを撓みレバー２０ａのＴ字状溝２０ｆに嵌合させて撓みレバー２０ａにロック解除具６０を固定する。また、係止片６０ｆの爪６０ｇをプラグハウジング２０の爪溝２０ｋに係合してロック解除具６０の後部をプラグハウジング２０に係止する。以上でプラグハウジング２０への組み付けが完了する。爪６０ｇをプラグハウジング２０の爪溝２０ｋに係止させているので、光コネクタ２００が振動するようなことがあっても、後端部のつまみ６０ａがふらついて係止爪２０ｂの係合が解除されるようなことはない。
【００３６】
次に、コネクタプラグ３とコネクタアダプタ１との接続とその係止、および係止解除方法について説明する。プラグハウジング２０の左右に形成された凹部２０ｉを把持し、挿入部２０ｃをコネクタアダプタ１のアダプタハウジング１０内に挿入する。このとき、係止爪２０ｂの先端上面は傾斜面２０ｇとなっているので、この傾斜面２０ｇがアダプタハウジング１０の内側エッジ１０ｅに当たり、撓みレバー２０ａが下方に撓み、挿入部２０ｃと共に撓みレバー２０ａがアダプタハウジング１０内に挿入される。同時にフェルール２１の前端がフェルールアダプタ１１内に挿入されて両者が光接続される。
【００３７】
挿入部２０ｃが根元まで完全に挿入されると、係止爪２０ｂ及びカマボコ状突起２０ｊが、それぞれ係合孔１０ｃ及び第２係合孔１０ｄにスナップインして係合し、コネクタプラグ３をコネクタアダプタ１に係止する。
【００３８】
コネクタプラグ３のコネクタアダプタ１への係止を解除するには、まず、ロック解除具６０の滑り止め部６０ｈとつまみ６０ａを摘み、係止片６０ｆを揺動させて爪６０ｇと爪溝２０ｋの係合を解き、プラグハウジング２０とロック解除具６０との係止を解除する。その状態でつまみ６０ａを上方（撓みレバー２０ａの延在方向と略直角方向）へ変位させると、長尺アーム部６０ｄを介して撓みレバー２０ａに下方（アダプタハウジング１０の内側方向）への曲げモーメントが働き、撓みレバー２０ａが下方へ撓んで係止爪２０ｂが係合孔１０ｃから外れ係合が解除される。この状態でつまみ６０ａを後方へ引くと、コネクタプラグ３はコネクタアダプタ１から外れる。このように、ロック解除具６０のつまみ（後端部）６０ａを変位させることにより、コネクタプラグ３のコネクタアダプタ１への係止を解除することができる。
【００３９】
実施の形態２の光コネクタ２００およびコネクタプラグ３によっても、コネクタアダプタ１とコネクタプラグ３との係止を解除するために、コネクタの両側に指を挿入するためのスペースを必要としない光コネクタおよびコネクタプラグが得られる。
【００４０】
以上、実施の形態１及び２の光コネクタ１００、２００およびコネクタプラグ２、３について説明したが、アダプタハウジング１０、プラグハウジング２０、ロック解除具３０、６０は、樹脂製でなく金属製としてもよい。また、フェルールアダプタ１１およびフェルール２１を２本備える形態としたが、これらは１本としてもよいし、３本以上としてもよい。２本以上とすれば、複数本のフェルール２１を備えるコネクタプラグ２、３を一つのロック解除具３０、６０でロック解除できるのでロック解除の能率がよい。
【００４１】
なお、上記実施の形態では、コネクタアダプタ１は、一対のコネクタプラグ２、３を着脱するべく、コネクタプラグの収容空間、係合孔１０ｃ等をコネクタアダプタ１の両側に設けるようにしたが、コネクタアダプタ１が、光通信機器、制御機器に直接固定される形態を採用してもよい。この場合のコネクタアダプタにおいては、コネクタプラグ２、３の収容空間、係合孔１０ｃ等が片側にのみ設けられており、フェルールアダプタ１１にコネクタプラグ２、３のフェルール２１が挿入されると、コネクタプラグ２、３のフェルール２１と光通信機器、制御機器側の光ファイバとが光接続されるようになっている。
【産業上の利用可能性】
【００４２】
以上のように、本発明にかかる光コネクタおよびコネクタプラグは、装置の小型化が要求されて光コネクタ装着部に指を挿入するためのスペースを確保できない機器用の光コネクタおよびコネクタプラグとして有用である。
【図面の簡単な説明】
【００４３】
【図１】本発明にかかる光コネクタの実施の形態１の前方分解斜視図である。
【図２】同後方分解斜視図である。
【図３−１】同平面図である。
【図３−２】同一部破断側面図である。
【図４−１】ロック解除具の側面図である。
【図４−２】同平面図である。
【図４−３】プラグ本体部とソケットとを接続した状態の側面図である。
【図４−４】ソケット蓋の正面図である。
【図５】本発明にかかる光コネクタの実施の形態２の前方分解斜視図である。
【図６】同後方分解斜視図である。
【図７−１】コネクタプラグの平面図である。
【図７−２】同側面図である。
【図７−３】同後面図である。
【図８−１】ロック解除具の側面図である。
【図８−２】同平面図である。
【符号の説明】
【００４４】
１  コネクタアダプタ
２，３  コネクタプラグ
１０ｃ  係合孔（係合凹部）
１１  フェルールアダプタ
２０  プラグハウジング
２０ａ  撓みレバー
２０ｂ  係止爪
２０ｆ  Ｔ字状溝
２１  フェルール
３０，６０  ロック解除具
３０ａ，６０ａ  後端部
３０ｃ，６０ｃ  前端部
３０ｄ，６０ｄ  長尺アーム部
３０ｆ，６０ｆ  係止片
３０ｇ，６０ｇ  爪
４０  ソケット
５０  光ファイバ
１００，２００  光コネクタ
【図１】
2006071888.tif 000003
【図２】
2006071888.tif 000004
【図３−１】
2006071888.tif 000005
【図３−２】
2006071888.tif 000006
【図４−１】
2006071888.tif 000007
【図４−２】
2006071888.tif 000008
【図４−３】
2006071888.tif 000009
【図４−４】
2006071888.tif 000010
【図５】
2006071888.tif 000011
【図６】
2006071888.tif 000012
【図７−１】
2006071888.tif 000013
【図７−２】
2006071888.tif 000014
【図７−３】
2006071888.tif 000015
【図８−１】
2006071888.tif 000016
【図８−２】
2006071888.tif 000017